(57)【要約】【課題】静止した装置に関してコアネットワークにおける信号通信最適化をトリガするための時間を短縮する手法を提供する。【解決手段】一実施形態によれば、無線リソース制御レイヤの上位にあり且つアプリケーションレイヤの下位にある通信レイヤでメッセージを通信端末から受信するように構成された受信機であって、上記メッセージが上記通信端末の非モビリティ状態を示す当該受信機と、上記メッセージに応じて上記通信レイヤの構成パラメータを設定するように構成されたコントローラと、を備える通信装置、が説明される。【選択図】図６
2018528626.tif 000002
【特許請求の範囲】
【請求項１】
無線リソース制御レイヤの上位にあり且つアプリケーションレイヤの下位にある通信レイヤでトラッキングエリア更新メッセージを通信端末から受信するように構成された受信機であって、前記トラッキングエリア更新メッセージが前記通信端末の非モビリティ状態を示す、当該受信機と、
前記トラッキングエリア更新メッセージに応じて前記通信レイヤの構成パラメータを設定するように構成されたコントローラと、
を備える通信装置。
【請求項２】
前記非モビリティ状態が、前記通信端末の移動速度が所定のしきい値以下である状態である、請求項１に記載の通信装置。
【請求項３】
前記トラッキングエリア更新メッセージが、制御プレーンメッセージである、請求項１又は２に記載の通信装置。
【請求項４】
前記トラッキングエリア更新メッセージが、非アクセス層メッセージである、請求項１〜３のいずれか一項に記載の通信装置。
【請求項５】
前記構成パラメータが、前記通信端末のトラッキング更新パラメータを含む、請求項１〜４のいずれか一項に記載の通信装置。
【請求項６】
前記コントローラは、前記通信端末に宛てられたページングメッセージが前記トラッキングエリア更新メッセージに応じて送られるべきエリアを縮小するように構成される、請求項１〜５のいずれか一項に記載の通信装置。
【請求項７】
前記コントローラは、前記通信端末が前記トラッキングエリア更新メッセージに応じて位置更新情報を報告せずに移動できる前記エリアを縮小するように構成される、請求項１〜６のいずれか一項に記載の通信装置。
【請求項８】
前記コントローラが、前記トラッキングエリア更新メッセージに応じて前記通信端末に関係するトラッキングエリア識別子リストを削減するように構成される、請求項１〜７のいずれか一項に記載の通信装置。
【請求項９】
前記コントローラは、前記通信端末が前記トラッキングエリア更新メッセージに応じて位置更新情報を報告すべき速度を低下させるように構成される、請求項１〜８のいずれか一項に記載の通信装置。
【請求項１０】
前記コントローラが、前記トラッキングエリア更新メッセージに応じて前記通信端末に関係する定期的トラッキングエリア更新タイマを増加させるように構成される、請求項１〜９のいずれか一項に記載の通信装置。
【請求項１１】
前記コントローラが、前記トラッキングエリア更新メッセージに応じて前記構成パラメータを調節するように構成される、請求項１〜１０のいずれか一項に記載の通信装置。
【請求項１２】
構成パラメータを設定するための方法であって、
無線リソース制御レイヤの上位にあり且つアプリケーションレイヤの下位にある通信レイヤでトラッキングエリア更新メッセージを通信端末から受信するステップであって、前記トラッキングエリア更新メッセージが前記通信端末の非モビリティ状態を示す、当該受信するステップと、
前記トラッキングエリア更新メッセージに応じて前記通信レイヤの構成パラメータを設定するステップと、
を含む、方法。
【請求項１３】
通信端末の非モビリティ状態を検出するように構成された検出器と、
前記非モビリティ状態が検出された場合に、無線リソース制御レイヤの上位にあり且つアプリケーションレイヤの下位にある通信レイヤでトラッキングエリア更新メッセージを送信するように構成された送信機であって、前記トラッキングエリア更新メッセージが通信装置に対し前記通信端末の前記非モビリティ状態を示す、当該送信機と、
を備える、通信端末。
【請求項１４】
通信端末の非モビリティ状態を示すための方法であって、
前記通信端末の非モビリティ状態を検出するステップと、
無線リソース制御レイヤの上位にあり且つアプリケーションレイヤの下位にある通信レイヤでトラッキングエリア更新メッセージを送信するステップであって、前記トラッキングエリア更新メッセージが、前記非モビリティ状態が検出された場合に通信装置に対し前記通信端末の前記非モビリティ状態を示す、当該送信するステップと、
を含む、方法。
【発明の詳細な説明】
【技術分野】
【０００１】
本開示は、通信装置、通信端末、構成パラメータを設定するための方法及び通信端末の非モビリティ状態を示すための方法に関する。
【背景技術】
【０００２】
３ＧＰＰ標準化における最近の研究によれば、ユーザ機器（ＵＥ）が長時間にわたって同じトラッキングエリア内に滞在するときのトラッキングエリアパラメータの最適化が考えられている。具体的には、次世代システム用のアーキテクチャについての３ＧＰＰ研究は、ＵＥが静止していることを検出するとコアネットワークによりトリガされるアクションを導入する。この検出は、ネットワーク側により、ＵＥが現在存在するトラッキングエリア上のＵＥからの報告（典型的には、定期的トラッキングエリア更新）を監視することにより行われている。最適化アクションは、ＵＥが位置更新を報告せずに移動することができるトラッキングエリアのリストを次第に縮小させることであってもよい。もう１つのアクションは、ＵＥが定期的トラッキングエリア更新を報告する時間を長くすることを要求することであってもよい。これらのアクションは、限られたエリア内でページングを実行することにより、静止した装置をページングするための、及び頻繁には生じない定期的トラッキングエリア更新のための信号通信を減少させることにつながる。信号通信の減少は、ＵＥの低消費電力化にもつながる。
【発明の概要】
【発明が解決しようとする課題】
【０００３】
しかしながら、ＵＥによるトラッキングエリア報告の周期が比較的長いことがある（典型的なデフォルト値は、５４分である）ので、定期的トラッキングエリア更新に基づいてＵＥが静止していることの検出は、数時間かかることがあり、この時間の後にのみ、コアネットワークは、対応する最適化アクションを実行する。
【０００４】
したがって、静止した装置に関してコアネットワークにおける信号通信最適化をトリガするための時間を短縮する手法が望まれている。
【課題を解決するための手段】
【０００５】
一実施形態によれば、通信端末から、無線リソース制御レイヤの上位にあり且つアプリケーションレイヤの下位にある通信レイヤでメッセージを受信するように構成された受信機であって、上記メッセージが上記通信端末の非モビリティ状態を示す、受信機と、上記メッセージに応じて上記通信レイヤの構成パラメータを設定するように構成されたコントローラとを含む通信装置が提供される。
【０００６】
さらなる実施形態によれば、上に説明した通信装置にしたがった、通信端末、構成パラメータを設定するための方法及び通信端末の非モビリティ状態を示すための方法が提供される。
【０００７】
図面では、類似の参照符号は、異なる図の全体を通して同じ部品を一般に指している。図面は、必ずしも正確な縮尺であるとは限らず、代わりに、本発明の原理を図説するために強調が全体的に行われている。下記の説明では、下記の図面を参照して様々な態様が説明されている。
【図面の簡単な説明】
【０００８】
【図１】通信システム、例えば、ＬＴＥ（Ｌｏｎｇ  Ｔｅｒｍ  Ｅｖｏｌｕｔｉｏｎ）通信システムを示す図である。
【図２】制御プレーンプロトコルスタックの例を示す図である。
【図３】ＵＥとコアネットワークとの間のメッセージフローを示すメッセージフロー図である。
【図４】通信配置を示す図である。
【図５】ＵＥとコアネットワークとの間のメッセージフローを示すメッセージフロー図である。
【図６】通信装置を示す図である。
【図７】通信パラメータを設定するための方法を図説するフロー図である。
【図８】ある実施形態による通信端末を示す図である。
【図９】非モビリティ状態を示すための方法を図説するフロー図である。
【発明を実施するための形態】
【０００９】
下記の詳細な説明は、実例として、本発明が実施され得る本開示の具体的な詳細及び態様を示す添付の図面を参照している。他の態様が利用されることがあり、構造的、論理的及び電気的な変更が、本発明の範囲から逸脱せずに行われ得る。本開示のいくつかの態様は、新たな態様を形成するために、本開示の１つ又は複数の他の態様と組み合わせられてもよいので、本開示の様々な態様は、必ずしも相互に排他的であるとは限らない。
【００１０】
図１は、通信システム１００、例えば、ＬＴＥ（Ｌｏｎｇ  Ｔｅｒｍ  Ｅｖｏｌｕｔｉｏｎ）通信システム又は５Ｇ通信システムを示している。
【００１１】
通信システム１００は、無線アクセスネットワーク（例えば、Ｅ−ＵＴＲＡＮ、ＬＴＥにしたがった進化型ＵＭＴＳ（Ｕｎｉｖｅｒｓａｌ  Ｍｏｂｉｌｅ  Ｃｏｍｍｕｎｉｃａｔｉｏｎｓ  Ｓｙｓｔｅｍ）地上波無線アクセスネットワーク）１０１又は５Ｇ無線アクセスネットワークと、コアネットワーク（例えば、ＥＰＣ、ＬＴＥに従った、進化型パケットコア又は５Ｇコアネットワーク）１０２とを含む。無線アクセスネットワーク１０１は、基地（トランシーバ）局（例えば、ＬＴＥにしたがった、ｅＮｏｄｅＢ、ｅＮＢ）１０３を含むことができる。各基地局１０３は、無線アクセスネットワーク１０１の１つ又は複数の移動無線セル１０４のための無線カバレッジを提供する。
【００１２】
移動無線セル１０４のうちの１つ（この例では最も左の無線セル１０４）に位置する移動端末（ＵＥ、ユーザ機器、又はＭＳ、移動局とも呼ばれる）１０５は、移動無線セルにおけるカバレッジを提供している（言い換えると動作している）基地局を介して、コアネットワーク１０２及び他の移動端末１０５と通信できる。
【００１３】
制御データ及びユーザデータは、基地局１０３と、基地局１０３により運用されている移動無線セル１０４内に位置する移動端末１０５との間で、多重アクセス方法に基づいてエアインターフェース１０６上で送信される。
【００１４】
基地局１０３は、第１のインターフェース１０７、例えば、Ｘ２インターフェースにより、互いに相互接続される。基地局１０３は、第２のインターフェース１０８、例えば、Ｓ１インターフェースによっても、コアネットワークに、例えば、ＭＭＥ（Ｍｏｂｉｌｉｔｙ  Ｍａｎａｇｅｍｅｎｔ  Ｅｎｔｉｔｙ）１０９及びサービングゲートウェイ（Ｓ−ＧＷ）１１０に接続される。例えば、ＭＭＥ１０９は、Ｅ−ＵＴＲＡＮのカバレッジエリア内に位置する移動端末のモビリティを制御する責があり、一方でＳ−ＧＷ１１０は、移動端末１０５とコアネットワーク１０２との間のユーザデータの伝送を取り扱う責がある。
【００１５】
無線アクセスネットワーク１０１及びコアネットワークは、様々な通信技術、例えば、移動通信標準にしたがって通信をサポートできる。例えば、各基地局１０３は、５Ｇ（第５世代）、ＬＴＥ、ＵＭＴＳ、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）無線アクセスにしたがって、基地局１０３自体と移動端末１０５との間のエアインターフェースを介した無線通信接続を提供できる。したがって、無線アクセスネットワーク１０１は、Ｅ−ＵＴＲＡＮ、ＵＴＲＡＮ、ＧＳＭ無線アクセスネットワーク、又はＧＥＲＡＮ（ＧＳＭ  ＥＤＧＥ  Ｒａｄｉｏ  Ａｃｃｅｓｓ  Ｎｅｔｗｏｒｋ）として動作できる。類似の方法で、コアネットワーク１０２は、ＥＰＣ、ＵＴＭＳコアネットワーク又はＧＳＭコアネットワークの機能を含むことができる。本明細書において説明する手法は、５Ｇなどの将来の無線アクセス技術にも適用され得る。
【００１６】
エアインターフェース１０６を介したアップリンク無線通信のために、移動端末１０５は、無線トランシーバ１１１を含む。
【００１７】
移動端末１０５は、（例えば、チップカードにより実装される）アイデンティティモジュール１１２を含むことができ、これは、移動端末１０５が無線アクセスネットワーク１０１及びコアネットワーク１０２により形成される通信ネットワークの加入者として（例えば、ＬＴＥ加入者又は５Ｇネットワーク加入者として）移動端末自体を識別すること、したがってホームネットワークとして通信ネットワークを使用することを可能にする。
【００１８】
図２は、制御プレーンプロトコルスタックの例を示している。
【００１９】
様々なレイヤのコンポーネントが、例えば、移動端末１０５に対応するＵＥ２０１、例えば、移動端末１０５を取り扱っている基地局１０３に対応するｅＮＢ２０２、及びコアネットワーク、具体的には、例えば、ＭＭＥ１０９に対応するＭＭＥ２０３について示されている。
【００２０】
ＵＥ２０１及びｅＮＢ２０２の両者とも、それぞれの物理レイヤコンポーネント２０４、２０５、ＭＡＣ（媒体アクセス制御）レイヤコンポーネント２０６、２０７、ＲＬＣ（無線リンク制御）レイヤコンポーネント２０８、２０９、ＰＤＣＰ（パケットデータコンバージェンスプロトコル）レイヤコンポーネント２１０、２１１、及びＲＲＣ（無線リソース制御）レイヤコンポーネント２１２、２１３を含む。これらのコンポーネント及びこれらのレイヤのコンポーネント間の通信は、ＵＥ２０１のための無線アクセスを実現するために見られることがある。
【００２１】
制御プレーン上では、ＲＬＣ及びＭＡＣサブレイヤコンポーネント２０６〜２０９は、ユーザプレーンに対するものと同じ機能を実行することに留意すべきである。
【００２２】
制御プレーンでは、ＵＥ２０１は、非アクセス層（ＮＡＳ）を介してコアネットワーク、すなわちＭＭＥ２０３と通信する。非アクセス層（ＮＡＳ）は、ＵＥ２０１とＭＭＥ２０３との間の制御プレーンの最も高い層である。ＮＡＳは、通信セッションの確立を管理するため及びユーザ機器が移動するのでユーザ機器との連続的な通信を維持するために使用される。ＮＡＳは、ネットワークのワイアレス部分上で情報を搬送する責があるアクセス層とは対照的に定義されている。
【００２３】
ＲＲＣレイヤコンポーネント２１２、２１３は、ＵＥ２０１及びＭＭＥ２０３のＮＡＳコンポーネント２１４、２１５間のＮＡＳ直接メッセージ転送を実行する。
【００２４】
ＮＡＳは、ＵＥ２０１とコアネットワーク２０３の間のＩＰ接続を確立し維持する責もある。
【００２５】
ＴＣＰ／ＩＰスタックによって、ＵＥ２０１は、もう１つのＵＥ又はＮＡＳの上位に存在するアプリケーションレイヤ（図示せず）のレベルで使用されるサーバ（例えば、インターネットサーバ）に接続することができる。アプリケーションレイヤ（及び本明細書において述べられ、そして示される他のレイヤ）は、オープンシステム相互接続モデル（ＯＳＩモデル）に従うと理解されてもよい。
【００２６】
ＵＥの移動性のために、ネットワーク側は、ＵＥの位置を追跡し続ける。ＬＴＥでは、ＵＥ１０５が能動状態にある間は、ＵＥの位置は、セルレベルで（すなわち、セル細分度で）ネットワークにより知られる。しかしながら、ＵＥ１０５がアイドル状態にある間は、ＵＥの位置は、セルレベルの代わりに、ＴＡＩリスト（トラッキングエリア識別子リスト）レベルで（すなわち、ＴＡＩリスト細分度で）ネットワーク１０１、１０２により知られる。ネットワークオペレータは、ＴＡとして隣接ｅＮＢのグループを規定する。トラッキングエリア識別子リストは、トラッキングエリアのリストを含むことができる、又はこのリストから本質的に構成されることがある。
【００２７】
現在のＥ−ＵＴＲＡＮ仕様書によれば、（ｉ）ＵＥ１０５がＭＭＥ１０９から以前に受信したトラッキングエリア（ＴＡ）のリストにはないＴＡに属しているセルを、ＵＥ１０５が選択する、又は（ｉｉ）ＭＭＥ１０９から以前に受信した定期的ＴＡ更新タイマが終了するときに、ＵＥ１０５はＴＡＵ（トラッキングエリア更新）を送る。ＭＭＥ１０９は、ＴＡＩの更新されたリストで応答し、リストは、新しいＴＡ並びに古いものを含むことができる。ページングのケースでは、ＭＭＥ１０９は、リストの一部であるＴＡ内のＵＥ１０５をページングする。
【００２８】
ＭＭＥ１０９により実行される可能性のある最適化アクションは、アタッチ要求メッセージ又はＴＡＵ要求メッセージにおいてＵＥ１０５により報告されたＴＡ識別子の履歴を使用することにより、ＴＡのリストを削減することであり得る。ＵＥ１０５とＭＭＥ１０９との間の信号通信を減少させるために、ＭＭＥ１０９は、サブスクリプションに基づいて３２０時間までのＵＥ固有の定期的ＴＡＵタイマも割り当てることができ、一方でデフォルトタイマ値は、５４分である。この手法は、図３に図示されている。
【００２９】
図３は、例えば移動端末１０５に対応するＵＥ３０１と、例えばコアネットワーク１０２に対応するコアネットワーク３０２との間のメッセージフローを示す、メッセージフロー３００を示している。
【００３０】
ステップ３０３、３０５、３０７、３０９において送られたトラッキングエリア更新においてＵＥにより報告され、それぞれ、ステップ３０４、３０６、３０８及び３１０においてコアネットワーク３０２により回答されたトラッキングエリア識別子の履歴を保持することによって、ＵＥ３０１が非モビリティ状態にあることを、コアネットワーク１０２は検出することができる。ＵＥがトラッキングエリアの境界を横切るとき、又は定期的に、ＰＴＡＵ（定期的トラッキングエリア更新）期間３１０が経過した後で、これらの報告はトリガされる。しかしながら、周期がデフォルトにより５４分に設定されているので、定期的トラッキングエリア更新に基づいて、ＵＥが（時刻３１１の点で開始して）静止していることの検出は、数時間かかることがあり、この時間の後にのみ、コアネットワーク３０２は、ステップ３１２においてＴＡＩ（トラッキングエリア識別子）リストを削減すること及びＰＴＡＵタイマを増加させることなどの対応する最適化アクションを実行し、ステップ３１３では、ＵＥ３０１が削減したＴＡＩリスト及び増加したＰＴＡＵタイマを使用することを指示している応答メッセージをＵＥ３０１へ送る。
【００３１】
ＭＭＥが静止した装置に関するＴＡＵ信号通信最適化をどのようにしてトリガするかは、現在の３ＧＰＰ仕様書には記載されていない。ＴＡＵ最適化は、例えば、ＵＥが長時間にわたり同じＴＡ又はＴＡのリストを報告するときにトリガされてもよい。
【００３２】
３ＧＰＰによれば、ＵＥ１０５は、モビリティ情報を報告することができ、アイドル状態からＲＲＣ接続状態への移行中にネットワークへモビリティ情報をＵＥが提供することの可能性を導入することができる。ＵＥは、例えば、低、中、高のようにＵＥのモビリティ状態を示すことができ、ｅＮＢがＵＥをＲＲＣアイドル又はＲＲＣ接続に維持するかどうかの判断に影響を及ぼすことがある。モビリティ情報を報告することは、このように、接続されたモードパラメータを構成する際に及び接続解放取り扱いの際にｅＮＢを支援すること、並びにコアネットワークがこの信号通信最適化に拘わらないことを意味する。
【００３３】
モビリティ情報の使用の他の例は、例えば、モビリティ標識がＵＴＲＡＮへ送られ、モビリティ標識がＲＡＮ手順を最適化するために使用されるワイアレス通信システムにおけるモビリティ関連情報の、ユーザ機器（ＵＥ）による伝送を含む。
【００３４】
もう１つの例は、ユーザ機器からネットワークノードによって、ＵＥのモビリティ状態（低モビリティ又は高モビリティ）の標識を受信すること含む。この標識は、ネットワークノードにより使用されて、ハンドオーバー動作を改善するために値をトリガする時刻を適応させる。
【００３５】
さらなる例では、ＵＥがモビリティ情報、例えば、ＵＥがどれだけ長く同じセルに滞在するかを報告しなければならないことを、ＵＥは判定する。情報は、無線アクセスネットワークにより使用されて、（モビリティに関するパラメータ及び／又は接続状態ＤＲＸパラメータなどの）無線パラメータ設定を最適化する。
【００３６】
下記では、移動端末が、非モビリティ状態を検出し、その結果、コアネットワークが、到達可能性手順の構成、例えば、ＴＡＩリスト及びＰＴＡＵタイマの長さなどのトラッキング更新パラメータを例えば適応させることができるときに、移動端末（例えば、ＵＥ）が、コアネットワークへ非モビリティ標識を送る手法が説明される。
【００３７】
非モビリティ状態の検出の後で、ＵＥは、コアネットワーク制御プレーン機能部へ非モビリティ標識を送る。非モビリティ標識は、モビリティ管理、例えば、ＭＭＥを担当するコアネットワーク（例えば、ＥＰＣ又は５Ｇコアネットワーク）内の制御プレーン機能部へＵＥから送られる非アクセス層（ＮＡＳ）メッセージに含まれる。非モビリティ標識の受信の結果として、コアネットワーク機能部は、位置トラッキングの最適化をトリガすることができ、信号通信負荷を減少させることができる。
【００３８】
図３に図示した手法と比較して、これは、静止した装置の非モビリティ状態のより速い検出を可能にし、その結果、静止した装置に対してコアネットワークで信号通信最適化をトリガする時間を短縮することを可能にする。例えば、
・ＴＡスト内の最後に報告されたＴＡだけを保持することにより一時的に静止した装置に関するページングエリアを縮小し、したがって、ページングのケースではＵＥがページングされる必要があるセルの数を減少させる。
・一時的に静止した装置について定期的にＴＡＵを報告する頻度を減少させ、コアネットワーク信号通信及び無線ネットワーク信号通信を省く。
【００３９】
この手法は、下記でより詳細に説明される。
【００４０】
図４は、通信配置４００を示している。
【００４１】
通信配置４００は、例えば、移動端末１０５に対応し、潜在的な高いモビリティを連想させる自動車として表された移動端末４０１と、例えば、移動端末の取り扱い基地局１０３に対応する基地局４０２と、コアネットワークの制御プレーン機能部４０３、例えば、コアネットワークのＮＡＳコンポーネント２１４とを含む。
【００４２】
ある時点において、４０４では、移動端末４０１は、動くことを停止し、非モビリティ状態を検出することが想定される。非モビリティ状態の検出の後で、移動端末４０１は、４０５において、明示的な非モビリティ標識を含んでいるメッセージをコアネットワーク制御プレーン機能部４０３へ送る。
【００４３】
移動端末４０１は、モビリティ管理を担当する制御プレーン機能部４０３（例えば、ＥＰＣ又は５Ｇコアネットワーク機能部）へ移動端末４０１から送られた非アクセス層（ＮＡＳ）メッセージに非モビリティ標識を含ませる。非モビリティ標識は、例えば、アタッチ要求メッセージ又はＴＡＵ要求メッセージ内のＵＥネットワーク能力情報エレメントの一部であってもよい。非モビリティ標識を送るタイミングに関して、ＵＥは、明示的なメッセージ（これを用いて、非モビリティ状態の検出がメッセージの発生及び送信をトリガする）で非モビリティ標識を送信できる、又はＵＥは、次の利用可能な定期的ＴＡＵ要求メッセージを使用して、この標識を送信する。（何らかの方法で送られる）定期的なメッセージを使用することは、非モビリティ標識のための特別なＴＡＵ要求メッセージを発生させることを回避するという利点を有し、したがって、いずれの追加の信号通信をも生じさせない。
【００４４】
非モビリティ標識の受信に応じて、コアネットワーク機能部４０３は、ＵＥ４０１に対する信号通信最適化アクションを実施することを決定できる。例えば、（ｉ）最後に報告されたＴＡ識別子だけを含ませることによりＵＥ４０１のトラッキングエリアのリストを更新すること及び／又は（ｉｉ）定期的なＴＡＵを報告するためのタイマを増加させるようにＵＥ４０１に示すこと。この例では、４０６では、ＣＰ−Ｆは、更新されたパラメータを含んでいるメッセージ（例えば、ＴＡＵ受諾メッセージ）を有し、４０５において送信されたメッセージに、例えば、ＴＡＵ要求に応答することにより更新されたトラッキングエリアパラメータを配布する。
【００４５】
相補的な特徴として、ＵＥ４０１は、「再移動」状態をやはり検出することができ、対応として、モビリティ標識を送って、ＵＥ４０１が再び動き始めたことをコアネットワークに通知する。またこのケースでは、標識は、ＴＡＵ要求などの非アクセス層メッセージに含まれることがある。いずれにせよ、ＵＥが移動端末４０１から通常のＴＡＵを受信することにより再び動いていることをコアネットワークがやはり発見できるので、このメッセージは任意選択的である。
【００４６】
ＵＥ４０１とＣＰ−Ｆ４０２との間のメッセージフローが、図５により詳細に示されている。
【００４７】
図５は、例えば、移動端末４０１に対応するＵＥ５０１と、例えば、ＣＰ−Ｆ４０３を含んでいるコアネットワーク５０２との間のメッセージフローを示すメッセージフロー５００を示している。
【００４８】
移動端末５０３が移動している間の期間では、移動端末は、ステップ５０４におけるトラッキングエリア更新などのトラッキングエリア更新を規則正しく送り、図３の文脈で説明されているように、例えば、ステップ５０５において、コアネットワーク５０２により回答される。
【００４９】
ステップ５０６におけるＵＥ５０１による非モビリティの検出は、ステップ５０７におけるＴＡＵ要求メッセージの発生及び送信をトリガし、このＴＡＵ要求メッセージは、ＵＥ５０１が静止していることの標識（例えば、各値が静止、低、中及び高のようなモビリティレベルに対応している、対応する値又は複数の値のうちの１つに設定されたフラッグ）を含む。応答では、ステップ５０８において、コアネットワーク５０２は、ＴＡＩ（トラッキングエリア識別子）リストを削減させること及びＰＴＡＵタイマを増加させることなどの対応する最適化アクションを実行し、ステップ５０９において、ＵＥ５０１が削減したＴＡＩリスト及び増加したＰＴＡＵタイマを使用するように指示している応答メッセージをＵＥ５０１へ送る。次に続く期間５１０では、例えば、ＵＥが再び移動するまで、移動端末５０１は、更新されたＰＴＡＵタイマ及び更新されたＴＡＩリストを使用し、システムは、このようにして、ＵＥが移動を停止した直ぐ後に、信号通信の削減という利益を得ている。
【００５０】
非モビリティ及び移動しないことは、移動速度があるしきい値（例えば、０．１ｋｍ／ｈ、０．５ｋｍ／ｈ又は１ｋｍ／ｈ）未満であるとして理解されてもよい、すなわち、完全に停止していなければならないのではなく、ＴＡＩリストのサイズ及びＰＴＡＵタイマのようなパラメータの調節の正当な理由になるように十分に低い低モビリティのレベルに特にやはり対応してもよいことに留意すべきである。
【００５１】
非モビリティ状態は、例えば、もう１つのコンポーネントからのＡＰＩ（アプリケーションプログラミングインターフェース）報告の受信に基づいて、ＵＥのＮＡＳ機能部２１４により判定されることがあり、
・装置のＵＥの地理的な所在地（例えば、地理局所化システムを介して、例えば、ＵＥのＧＰＳモジュールにより決定される）がタイマにより決定されている期間にわたり（例えば、５分間、１０分間又は３０分間）変化していないこと、又は、
・ＵＥが静止した装置として作動するようにソフトウェアを介して構成されていたこと、又は、
・ＵＥが静止した装置として作動するようにハードウェアスイッチを介して構成されていたこと、又は、
・ＵＥとともに（自動車のような）装置を形成している他の機械が、装置が静止している（例えば、自動車のモータがスイッチを切られ、キーが抜かれ、このため移動装置が少なくともある時間にわたり静止していると予想され得る）ことを報告すること、
を示している。図４及び図５の実施例におけるような移動端末の非モビリティの積極的な標識の手法は、例えば、同じ位置に数時間にわたり停止することが予想される移動通信装置に適用されてもよく：装置により報告された明示的な非モビリティ標識が、この装置（例えば、ＵＥ）に関する信号通信を大きく減少させるはずであることに留意すべきである。
【００５２】
ネットワークがトラッキングエリアのサイズを縮小するケースにおいて、ＵＥがページングのケースではページングされなければならないセルの数は、はるかに少なく、より少ない無線レイヤ信号通信をもたらす。ネットワークがトラッキングエリア更新のためにタイマを延長するケースでは、ＵＥは、ＵＥのトラッキングエリアを少ない頻度で報告するであろう、したがって無線ネットワーク信号通信負荷及びコアネットワーク信号通信負荷の両方を削減するであろう。
【００５３】
ＵＥ４０１は、非モビリティ標識を含んでいるＮＡＳメッセージにおいて、非モビリティ標識とともに有効性標識を送って、どれだけ長く非モビリティ標識を適用するかを示すことができる。
【００５４】
コアネットワーク制御機能部４０３は、異なる目的のために有効性を使用できる。１つのケースでは、有効性標識が短すぎるとコアネットワークが考える場合には、コアネットワークは、非モビリティ標識を無視することがある。もう１つのケースでは、有効性が終了すると、コアネットワークは、古いパラメータ値に逆戻りできる。コアネットワークは、新しいトラッキングエリアパラメータを用いてＵＥへ更新メッセージを送るＣＰ−Ｆ４０３によりこれを行うことができる。
【００５５】
まとめると、様々な実施形態によれば、図６に図示したような通信装置６００が提供される。
【００５６】
図６は、通信装置６００を示している。
【００５７】
通信装置６００は、通信端末から、無線リソース制御レイヤの上位にあり且つアプリケーションレイヤの下位にある通信レイヤでメッセージを受信するように構成された受信機６０１を含み、ここではメッセージは、通信端末の非モビリティ状態を示す。
【００５８】
通信装置６００は、メッセージに応じて通信レイヤの構成パラメータを設定するように構成されたコントローラ６０２を含む。
【００５９】
様々な実施形態によれば、言い換えると、通信システムのネットワーク側、例えば、セルラ通信システム、例えば、ＥＰＣのＭＭＥ、のネットワーク側の例えば一部である通信装置は、例えば、非アクセス層メッセージを、例えば、コアネットワークのレベル上で、無線アクセスネットワークのレイヤの上位（且つアプリケーションレイヤの下位）のレイヤで通信端末から非モビリティ状態の標識を受信する。言い換えると、モビリティ状態（例えば、通信端末が移動しているか静止しているかどうか）に関して通信端末（例えば、ＵＥ）とコアネットワークとの間で直接信号通信がある。コアネットワークは、モビリティ状態に関する情報に基づいて、トラッキングエリア最適化をトリガするなどの構成パラメータを設定する、例えば、構成を最適化する。
【００６０】
通信装置は、例えば、通信端末からの第２のメッセージによって、非モビリティ状態が終了したことの標識をさらに受信できる。第２のメッセージに応じて、構成パラメータを設定できる（例えば、構成パラメータをその元の値にリセットする）、例えば、通信端末が位置更新情報を報告せずに移動できるエリアを増大させる、例えば、メッセージに応じて通信端末に関係するトラッキングエリア識別子リストを拡大する、又は通信端末がメッセージに応じて位置更新情報を報告すべき速度を大きくする、例えば、メッセージに応じて通信端末に関係する定期的トラッキングエリア更新タイマを減少させる、又は両者を行うことができる。
【００６１】
図６の手法は、例えば、車両用途に適用されてもよく、そこでは、例えば、車両に据え付けられている接続された装置、すなわち通信端末が、非モビリティの期間を検出する。通常静止しているが移動するときにはエリアトラッキングを必要とする（例えば、通信端末信号通信モビリティ情報に対応する）多数の接続されたオブジェクトを含んでいるインターネットオブシングス（ＩｏＴ）アプリケーションにもやはり適用できる。
【００６２】
通信装置６００は、例えば、図７に図示したような方法を実行する。
【００６３】
図７は、通信パラメータを設定するための方法を図説するフロー７００を示している。
【００６４】
ステップ７０１では、メッセージは、無線リソース制御レイヤの上位にあり且つアプリケーションレイヤの下位にある通信レイヤで通信端末から受信され、ここでは、メッセージは、通信端末の非モビリティ状態を示す。
【００６５】
ステップ７０２では、通信レイヤの構成パラメータが、メッセージに応じて設定される。
【００６６】
さらなる実施形態によれば、図８に図示したような通信端末が提供される。通信装置６００は、図８の通信端末からメッセージを例えば受信してもよい。
【００６７】
図８は、実施形態による通信端末８００を示している。
【００６８】
通信端末８００は、通信端末８００の非モビリティ状態を検出するように構成された検出器８０１を含む。
【００６９】
さらに、通信端末８００は、非モビリティ状態が検出された場合に、無線リソース制御レイヤの上位にあり且つアプリケーションレイヤの下位にある通信レイヤでメッセージを送信するように構成された送信機８０２を含み、ここでは、メッセージは、通信装置へ通信端末の非モビリティ状態を示す。
【００７０】
通信端末は、例えば、近接センサ、ハードウェア若しくはソフトウェアスイッチ、又はＧＰＳ（全地球測位システム）若しくはＧＬＯＮＡＳＳなどのＧＮＳＳ（全地球航法衛星システム）受信機からの所在地情報の使用のうちの少なくとも１つに基づいて非モビリティ状態を検出するように構成されてもよい。
【００７１】
通信端末８００は、例えば、図９に図説されているような方法を実行する。
【００７２】
図９は、非モビリティ状態を示すための方法を図説するフロー９００を示している。
【００７３】
ステップ９０１では、通信端末の非モビリティ状態が検出される。
【００７４】
ステップ９０２では、メッセージは、無線リソース制御レイヤの上位にあり且つアプリケーションレイヤの下位にある通信レイヤで送信され、ここでは、メッセージは、非モビリティ状態が検出された場合に通信装置に通信端末の非モビリティ状態を示す。
【００７５】
様々な実施例が下記に説明される：
実施例１は、通信端末から、無線リソース制御レイヤの上位にあり且つアプリケーションレイヤの下位にある通信レイヤでメッセージを受信するように構成された受信機であって、上記メッセージが上記通信端末の非モビリティ状態を示す、受信機と、上記メッセージに応じて上記通信レイヤの構成パラメータを設定するように構成されたコントローラとを備える、通信装置である。
【００７６】
実施例２は、上記非モビリティ状態が、上記通信端末の移動速度が所定のしきい値以下である状態である、実施例１に記載の通信装置である。
【００７７】
実施例３は、上記メッセージが、制御プレーンメッセージである、実施例１又は２に記載の通信装置である。
【００７８】
実施例４は、上記メッセージが、非アクセス層メッセージである、実施例１〜３のいずれか一項に記載の通信装置である。
【００７９】
実施例５は、上記メッセージが、アタッチ要求メッセージ又はトラッキングエリア更新メッセージである、実施例１〜４のいずれか一項に記載の通信装置である。
【００８０】
実施例６は、上記構成パラメータが、上記通信端末のトラッキング更新パラメータを含む、実施例１〜５のいずれか一項に記載の通信装置である。
【００８１】
実施例７は、上記コントローラが、上記通信端末に宛てられたページングメッセージが上記メッセージに応じて送られるべきエリアを減少させるように構成される、実施例１〜６のいずれか一項に記載の通信装置である。
【００８２】
実施例８は、上記コントローラが、上記通信端末が上記メッセージに応じて位置更新情報を報告せずに移動できる上記エリアを縮小するように構成される、実施例１〜７のいずれか一項に記載の通信装置である。
【００８３】
実施例９は、上記コントローラが、上記メッセージに応じて上記通信端末に関係するトラッキングエリア識別子リストを削減するように構成される、実施例１〜８のいずれか一項に記載の通信装置である。
【００８４】
実施例１０は、上記コントローラが、上記通信端末が上記メッセージに応じて位置更新情報を報告すべき速度を低下させるように構成される、実施例１〜９のいずれか一項に記載の通信装置である。
【００８５】
実施例１１は、上記コントローラが、上記メッセージに応じて上記通信端末に関係する定期的トラッキングエリア更新タイマを増加させるように構成される、実施例１〜１０のいずれか一項に記載の通信装置である。
【００８６】
実施例１２は、上記コントローラが、上記メッセージに応じて上記構成パラメータを調節するように構成される、実施例１〜１１のいずれか一項に記載の通信装置である。
【００８７】
実施例１３は、上記コントローラが、上記通信端末に上記構成パラメータの上記調節を示すように構成される、実施例１２に記載の通信装置である。
【００８８】
実施例１４は、送信機をさらに備え、上記コントローラが、上記構成パラメータの上記調節を示しているメッセージを上記通信端末へ送信するために上記送信機を制御するように構成される、実施例１２又は１３に記載の通信装置である。
【００８９】
実施例１５は、上記通信装置が、移動ネットワーク制御ノードを実装する、実施例１〜１４のいずれか一項に記載の通信装置である。
【００９０】
実施例１６は、上記メッセージが、上記非モビリティ状態の有効期間を示し、上記コントローラが、上記有効期間に基づいて上記通信レイヤの上記構成パラメータを設定するように構成される、実施例１〜１５のいずれか一項に記載の通信装置である。
【００９１】
実施例１７は、上記受信機が、上記通信端末から、上記通信レイヤで第２のメッセージを受信するように構成され、上記第２のメッセージが、上記通信端末の上記非モビリティ状態が終了したことを示し、上記コントローラが、上記第２のメッセージに応じて上記通信レイヤの上記構成パラメータを設定するように構成される、実施例１〜１６のいずれか一項に記載の通信装置である。
【００９２】
実施例１８は、構成パラメータを設定するための方法であって、通信端末から、無線リソース制御レイヤの上位にあり且つアプリケーションレイヤの下位にある通信レイヤでメッセージを受信するステップであり、上記メッセージが上記通信端末の非モビリティ状態を示す、受信するステップと、上記メッセージに応じて上記通信レイヤの構成パラメータを設定するステップとを含む、方法である。
【００９３】
実施例１９は、上記非モビリティ状態が、上記通信端末の移動速度が所定のしきい値以下である状態である、実施例１８に記載の方法である。
【００９４】
実施例２０は、上記メッセージが、制御プレーンメッセージである、実施例１８又は１９に記載の方法である。
【００９５】
実施例２１は、上記メッセージが、非アクセス層メッセージである、実施例１８〜２０のいずれか一項に記載の方法である。
【００９６】
実施例２２は、上記メッセージが、アタッチ要求メッセージ又はトラッキングエリア更新メッセージである、実施例１８〜２１のいずれか一項に記載の方法である。
【００９７】
実施例２３は、上記構成パラメータが、上記通信端末のトラッキング更新パラメータを含む、実施例１８〜２２のいずれか一項に記載の方法である。
【００９８】
実施例２４は、上記通信端末に宛てられたページングメッセージが上記メッセージに応じて送られるべきエリアを減少させるステップを含む、実施例１８〜２３のいずれか一項に記載の方法である。
【００９９】
実施例２５は、上記通信端末が上記メッセージに応じて位置更新情報を報告せずに移動できる上記エリアを縮小するステップを含む、実施例１８〜２４のいずれか一項に記載の方法である。
【０１００】
実施例２６は、上記メッセージに応じて上記通信端末に関係するトラッキングエリア識別子リストを削減するステップを含む、実施例１８〜２５のいずれか一項に記載の方法である。
【０１０１】
実施例２７は、上記通信端末が上記メッセージに応じて位置更新情報を報告すべき速度を低下させるステップを含む、実施例１８〜２６のいずれか一項に記載の方法である。
【０１０２】
実施例２８は、上記メッセージに応じて上記通信端末に関係する定期的トラッキングエリア更新タイマを増加させるステップを含む、実施例１８〜２７のいずれか一項に記載の方法である。
【０１０３】
実施例２９は、上記メッセージに応じて上記構成パラメータを調節するステップ、を含む、実施例１８〜２８のいずれか一項に記載の方法である。
【０１０４】
実施例３０は、上記通信端末に上記構成パラメータの上記調節を示すステップを含む、実施例２９に記載の方法である。
【０１０５】
実施例３１は、上記構成パラメータの上記調節を示しているメッセージを上記通信端末へ送信するステップを含む、実施例２９又は３０に記載の方法である。
【０１０６】
実施例３２は、移動ネットワーク制御ノードにより実行される、実施例１８〜３１のいずれか一項に記載の方法である。
【０１０７】
実施例３３は、上記メッセージが、上記非モビリティ状態の有効期間を示し、上記方法が、上記有効期間に基づいて上記通信レイヤの上記構成パラメータを設定するステップを含む、実施例１８〜３２のいずれか一項に記載の方法である。
【０１０８】
実施例３４は、上記通信端末から、上記通信レイヤで第２のメッセージを受信するステップであって、上記第２のメッセージが、上記通信端末の上記非モビリティ状態が終了したことを示す、受信するステップを含み、上記第２のメッセージに応じて上記通信レイヤの上記構成パラメータを設定するステップを含む、実施例１８〜３３のいずれか一項に記載の方法である。
【０１０９】
実施例３５は、通信端末の非モビリティ状態を検出するように構成された検出器と、上記非モビリティ状態が検出された場合に、無線リソース制御レイヤの上位にあり且つアプリケーションレイヤの下位にある通信レイヤでメッセージを送信するように構成された送信機であって、上記メッセージが、通信装置に上記通信端末の上記非モビリティ状態を示す、送信機とを備える、通信端末である。
【０１１０】
実施例３６は、上記送信機が、上記通信端末へ無線アクセスを提供している通信ネットワークの通信装置へ上記メッセージを送信するように構成される、実施例３５に記載の通信端末である。
【０１１１】
実施例３７は、上記通信装置が、移動ネットワーク制御ノードである、実施例３５又は３６に記載の通信端末である。
【０１１２】
実施例３８は、上記送信機が、上記通信端末の取り扱い基地局を介して上記メッセージを送信するように構成される、実施例３５〜３７のいずれか一項に記載の通信端末である。
【０１１３】
実施例３９は、上記送信機が、上記非モビリティ状態の上記検出に続いて上記通信装置へ上記通信レイヤでメッセージを送信する次の機会に上記メッセージを送信するように構成される、実施例３５〜３８のいずれか一項に記載の通信端末である。
【０１１４】
実施例４０は、上記送信機が、上記通信レイヤの次の定期的な送信機会に上記メッセージを送信するように構成される、実施例３５〜３９のいずれか一項に記載の通信端末である。
【０１１５】
実施例４１は、上記検出器が、上記非モビリティ状態の上記検出に応じて上記メッセージを送信するために上記送信機を制御するように構成される、実施例３５〜４０のいずれか一項に記載の通信端末である。
【０１１６】
実施例４２は、上記検出器が、上記通信レイヤのコンポーネントである、実施例３５〜４１のいずれか一項に記載の通信端末である。
【０１１７】
実施例４３は、上記検出器が、静止した装置として動作する上記通信端末の構成に基づいて又は上記通信端末が静止していると予想され得ることを示している外部装置からの入力に基づいて、所定の期間にわたり変化しないままである上記通信端末の地理的な所在地に基づいて上記通信端末の上記非モビリティ状態を検出するように構成される、実施例３５〜４２のいずれか一項に記載の通信端末である。
【０１１８】
実施例４４は、上記非モビリティ状態が、上記通信端末の移動速度が所定のしきい値以下である状態である、実施例３５〜４３のいずれか一項に記載の通信端末である。
【０１１９】
実施例４５は、上記メッセージが、制御プレーンメッセージである、実施例３５〜４４のいずれか一項に記載の通信端末である。
【０１２０】
実施例４６は、上記メッセージが、非アクセス層メッセージである、実施例３５〜４５のいずれか一項に記載の通信端末である。
【０１２１】
実施例４７は、上記メッセージが、アタッチ要求メッセージ又はトラッキングエリア更新メッセージである、実施例３５〜４６のいずれか一項に記載の通信端末である。
【０１２２】
実施例４８は、上記検出器が、上記通信端末の上記非モビリティ状態が終了したことを検出するようにさらに構成され、上記送信機が、上記非モビリティ状態が終了したことの上記検出に応じて、上記通信装置へ上記通信レイヤで第２のメッセージを送信するように構成され、上記第２のメッセージが、上記非モビリティ状態が終了したことを示す、実施例３５〜４７のいずれか一項に記載の通信端末である。
【０１２３】
実施例４９は、上記非モビリティ状態に基づいて上記構成パラメータの調節を示している第３のメッセージを受信するように構成された受信機をさらに備える、実施例３５〜４８のいずれか一項に記載の通信端末である。
【０１２４】
実施例５０は、上記非モビリティ状態の有効期間を判定するように構成された判定機をさらに備え、上記メッセージが、上記非モビリティ状態の上記有効期間の標識を含む、実施例３５〜４９のいずれか一項に記載の通信端末である。
【０１２５】
実施例５１は、通信端末の非モビリティ状態を示すための方法であって、上記通信端末の非モビリティ状態を検出するステップと、無線リソース制御レイヤの上位にあり且つアプリケーションレイヤの下位にある通信レイヤでメッセージを送信するステップであり、上記メッセージが、上記非モビリティ状態が検出された場合に通信装置に上記通信端末の上記非モビリティ状態を示す、送信するステップとを含む、方法である。
【０１２６】
実施例５２は、上記通信端末へ無線アクセスを提供している通信ネットワークの通信装置へ上記メッセージを送信するステップを含む、実施例５１に記載の方法である。
【０１２７】
実施例５３は、移動ネットワーク制御ノードにより実行される、実施例５１又は５２に記載の方法である。
【０１２８】
実施例５４は、上記通信端末の取り扱い基地局を介して上記メッセージを送信するステップを含む、実施例５１〜５３のいずれか一項に記載の方法である。
【０１２９】
実施例５５は、上記非モビリティ状態の上記検出に続いて上記通信装置へ上記通信レイヤでメッセージを送信する次の機会に上記メッセージを送信するステップを含む、実施例５１〜５４のいずれか一項に記載の方法である。
【０１３０】
実施例５６は、上記通信レイヤの次の定期的な送信機会に上記メッセージを送信するステップを含む、実施例５１〜５５のいずれか一項に記載の方法である。
【０１３１】
実施例５７は、上記非モビリティ状態の上記検出に応じて上記メッセージを送信するステップを含む、実施例５１〜５６のいずれか一項に記載の方法である。
【０１３２】
実施例５８は、上記通信レイヤにおいて上記検出するステップを実行するステップを含む、実施例５１〜５７のいずれか一項に記載の方法である。
【０１３３】
実施例５９は、静止した装置として動作する上記通信端末の構成に基づいて又は上記通信端末が静止していると予想され得ることを示している外部装置からの入力に基づいて、所定の期間にわたり変化しないままである上記通信端末の地理的な所在地に基づいて上記通信端末の上記非モビリティ状態を検出するステップを含む、実施例５１〜５８のいずれか一項に記載の方法である。
【０１３４】
実施例６０は、上記非モビリティ状態が、上記通信端末の移動速度が所定のしきい値以下である状態である、実施例５１〜５９のいずれか一項に記載の方法である。
【０１３５】
実施例６１は、上記メッセージが、制御プレーンメッセージである、実施例５１〜６０のいずれか一項に記載の方法である。
【０１３６】
実施例６２は、上記メッセージが、非アクセス層メッセージである、実施例５１〜６１のいずれか一項に記載の方法である。
【０１３７】
実施例６３は、上記メッセージが、アタッチ要求メッセージ又はトラッキングエリア更新メッセージである、実施例５１〜６２のいずれか一項に記載の方法である。
【０１３８】
実施例６４は、上記非モビリティ状態が終了したことを検出するステップと、上記非モビリティ状態が終了したことの上記検出に応じて、上記通信装置へ上記通信レイヤで第２のメッセージを送信するステップであって、上記第２のメッセージが、上記通信端末の上記非モビリティ状態が終了したことを示す、送信するステップとを含む、実施例５１〜６３のいずれか一項に記載の方法である。
【０１３９】
実施例６５は、上記非モビリティ状態に基づいて上記構成パラメータの調節を示している第３のメッセージを受信するステップをさらに含む、実施例５１〜６４のいずれか一項に記載の方法である。
【０１４０】
実施例６６は、上記非モビリティ状態の有効期間を判定するステップをさらに含み、上記メッセージが、上記非モビリティ状態の上記有効期間の標識を含む、実施例５１〜６５のいずれか一項に記載の方法である。
【０１４１】
実施例６７は、通信端末から、上記通信端末の非モビリティ状態を示しているメッセージを受信するように構成された受信機と、上記メッセージに応じて上記通信端末のトラッキング更新パラメータを設定するように構成されたコントローラとを備える、通信装置である。
【０１４２】
実施例６８は、上記非モビリティ状態が、上記通信端末の移動速度が所定のしきい値以下である状態である、実施例６７に記載の通信装置である。
【０１４３】
実施例６９は、メッセージが、制御プレーンメッセージである、実施例６７又は６８に記載の通信装置である。
【０１４４】
実施例７０は、上記メッセージが、非アクセス層メッセージである、実施例６７〜６９のいずれか一項に記載の通信装置である。
【０１４５】
実施例７１は、上記メッセージが、アタッチ要求メッセージ又はトラッキングエリア更新メッセージである、実施例６７〜７０のいずれか一項に記載の通信装置である。
【０１４６】
実施例７２は、上記コントローラが、上記通信端末に宛てられたページングメッセージが上記メッセージに応じて送られるべきエリアを減少させるように構成される、実施例６７〜７１のいずれか一項に記載の通信装置である。
【０１４７】
実施例７３は、上記コントローラが、上記通信端末が上記メッセージに応じて位置更新情報を報告せずに移動できる上記エリアを縮小するように構成される、実施例６７〜７２のいずれか一項に記載の通信装置である。
【０１４８】
実施例７４は、上記コントローラが、上記メッセージに応じて上記通信端末に関係するトラッキングエリア識別子リストを削減するように構成される、実施例６７〜７３のいずれか一項に記載の通信装置である。
【０１４９】
実施例７５は、上記コントローラが、上記通信端末が上記メッセージに応じて位置更新情報を報告すべき速度を低下させるように構成される、実施例６７〜７４のいずれか一項に記載の通信装置である。
【０１５０】
実施例７６は、上記コントローラが、上記メッセージに応じて上記通信端末に関係する定期的トラッキングエリア更新タイマを増加させるように構成される、実施例６７〜７５のいずれか一項に記載の通信装置である。
【０１５１】
実施例７７は、上記コントローラが、上記メッセージに応じて上記トラッキング更新パラメータを調節するように構成される、実施例６７〜７６のいずれか一項に記載の通信装置である。
【０１５２】
実施例７８は、上記コントローラが、上記通信端末に上記トラッキング更新パラメータの上記調節を示すように構成される、実施例６７〜７７のいずれか一項に記載の通信装置である。
【０１５３】
実施例７９は、送信機をさらに備え、上記コントローラが、上記トラッキング更新パラメータの上記調節を示しているメッセージを上記通信端末へ送信するために上記送信機を制御するように構成される、実施例６７〜7８のいずれか一項に記載の通信装置である。
【０１５４】
実施例８０は、上記通信装置が移動ネットワーク制御ノードを実装する、実施例６７〜７９のいずれか一項に記載の通信装置である。
【０１５５】
実施例８１は、上記メッセージが、上記非モビリティ状態の有効期間を示し、上記コントローラが、上記有効期間に基づいて上記通信レイヤの上記トラッキング更新パラメータを設定するように構成される、実施例６７〜８０のいずれか一項に記載の通信装置である。
【０１５６】
実施例８２は、上記受信機が、上記通信端末から、第２のメッセージを受信するように構成され、上記第２のメッセージが、上記通信端末の上記非モビリティ状態が終了したことを示し、上記コントローラが、上記第２のメッセージに応じて上記トラッキング更新パラメータを設定するように構成される、実施例６７〜８１のいずれか一項に記載の通信装置である。
【０１５７】
実施例８３は、トラッキング更新パラメータを設定するための方法であって、通信端末から、上記通信端末の非モビリティ状態を示しているメッセージを受信するステップと、上記メッセージに応じて上記通信レイヤのトラッキング更新パラメータを設定するステップとを含む、方法である。
【０１５８】
実施例８４は、上記非モビリティ状態は、上記通信端末の移動速度が所定のしきい値以下である状態である、実施例８３に記載の方法である。
【０１５９】
実施例８５は、上記メッセージが、制御プレーンメッセージである、実施例８３又は８４に記載の方法である。
【０１６０】
実施例８６は、上記メッセージが、非アクセス層メッセージである、実施例８３〜８５のいずれか一項に記載の方法である。
【０１６１】
実施例８７は、上記メッセージが、アタッチ要求メッセージ又はトラッキングエリア更新メッセージである、実施例８３〜８６のいずれか一項に記載の方法である。
【０１６２】
実施例８８は、上記通信端末に宛てられたページングメッセージが上記メッセージに応じて送られるべきエリアを減少させるステップを含む、実施例８３〜８７のいずれか一項に記載の方法である。
【０１６３】
実施例８９は、上記通信端末が上記メッセージに応じて位置更新情報を報告せずに移動できる上記エリアを縮小するステップを含む、実施例８３〜８８のいずれか一項に記載の方法である。
【０１６４】
実施例９０は、上記メッセージに応じて上記通信端末に関係するトラッキングエリア識別子リストを削減するステップを含む、実施例８３〜８９のいずれか一項に記載の方法である。
【０１６５】
実施例９１は、上記通信端末が、上記メッセージに応じて位置更新情報を報告すべき速度を低下させるステップを含む、実施例８３〜９０のいずれか一項に記載の方法である。
【０１６６】
実施例９２は、上記メッセージに応じて上記通信端末に関係する定期的トラッキングエリア更新タイマを増加させるステップを含む、実施例８３〜９１のいずれか一項に記載の方法である。
【０１６７】
実施例９３は、上記メッセージに応じて上記トラッキング更新パラメータを調節するステップを含む、実施例８３〜９２のいずれか一項に記載の方法である。
【０１６８】
実施例９４は、上記通信端末に上記トラッキング更新パラメータの上記調節を示すステップを含む、実施例８３〜９３のいずれか一項に記載の方法である。
【０１６９】
実施例９５は、上記トラッキング更新パラメータの上記調節を示しているメッセージを上記通信端末へ送信するステップを含む、実施例８３〜９４のいずれか一項に記載の方法である。
【０１７０】
実施例９６は、移動ネットワーク制御ノードにより実行される、実施例８３〜９５のいずれか一項に記載の方法である。
【０１７１】
実施例９７は、上記メッセージが、上記非モビリティ状態の有効期間を示し、上記方法が、上記有効期間に基づいて上記通信レイヤの上記トラッキング更新パラメータを設定するステップを含む、実施例８３〜９６のいずれか一項に記載の方法である。
【０１７２】
実施例９８は、上記通信端末から、第２のメッセージを受信するステップを含み、上記第２のメッセージは、上記通信端末の上記非モビリティ状態が終了したことを示し、上記第２のメッセージに応じて上記トラッキング更新パラメータを設定するステップを含む、実施例８３〜９７のいずれか一項に記載の方法である。
【０１７３】
通信装置及び通信端末（例えば、受信機、コントローラ、検出器及び送信機）は、例えば、１つ又は複数の回路により実装されてもよい。「回路」は、任意の種類の論理を実施するエンティティとして理解されてもよく、メモリに記憶されたソフトウェアを実行する特定用途回路若しくはプロセッサ、ファームウェア、又はこれらの任意の組み合わせであってもよい。このように、「回路」は、配線接続された論理回路又はプログラマブルプロセッサ、例えば、マイクロプロセッサなどのプログラマブル論理回路であってもよい。「回路」はまた、ソフトウェア、例えば、任意の種類のコンピュータプログラムを実行するプロセッサであってもよい。下記により詳細に説明されるであろうそれぞれの機能の任意の他の種類の実装形態もまた、「回路」として理解されることがある。
【０１７４】
具体的な態様が説明されてきている一方で、形態及び詳細の様々な変更が別記の特許請求の範囲により規定されるようなこの開示の態様の精神及び範囲から逸脱せずに行われ得ることが当業者には理解されるはずである。範囲は、したがって、別記の特許請求の範囲により示され、特許請求の範囲の等価性の意図及び範囲内になるすべての変更は、これゆえ包含されるものとする。
【図１】
2018528626.tif 000003
【図２】
2018528626.tif 000004
【図３】
2018528626.tif 000005
【図４】
2018528626.tif 000006
【図５】
2018528626.tif 000007
【図６】
2018528626.tif 000008
【図７】
2018528626.tif 000009
【図８】
2018528626.tif 000010
【図９】
2018528626.tif 000011
【国際調査報告】
2018528626.tif 000012
2018528626.tif 000013
2018528626.tif 000014